Podtech/llm-jp-corpus-v4-ja_patent huggingface dataset:
(57)【要約】【課題】  容器内の米と水に対流状の連続した流れを起こす機能を持たせて研ぎむらを無くした米研ぎ器。【解決手段】  下部に固定板上部に回転板を配置し両板の間に設けた凹凸部で米研ぎを行う。  固定板の下面に固定用脚部を備え容器との間に周囲の米と水の流路を確保する。  固定板の中央部に米と水の吸い上げ口及び回転軸を空転させる軸受けを設ける。  固定板の上面に米研ぎを行うための凹凸部を設ける。  回転板の下面に米研ぎ及び羽根の機能を兼ねる凹凸部を設ける。  回転軸に固定用ハンドルを設け固定板を容器の底に押し当てて固定する。  回転軸に回転用ハンドルを設け回転板を回転させ遠心力を発生させる。  遠心力で吸い上げ口より周囲の米と水を吸い上げ対流状の連続した流れをつくる。  両板の間の凹凸部により米の粒子に摩擦を与え米研ぎを行う。  【選択図】  図１
2005278801.tif 000002
【特許請求の範囲】
【請求項１】
炊飯を行う前の米研ぎ作業に用い米と水の入った容器（１１）の中で使用する米研ぎ器であり回転軸（１０）に設けた固定用ハンドル（４）で固定用脚部（８）が容器（１１）の底に押し当てられて固定された固定板（２）とその上部に設けられ回転用ハンドル（３）により回転される回転板（１）の間に設けた凹凸部（５）、（６）で米と水に摩擦を与えて米研ぎを行う米研ぎ器でありその固定板（２）の下面に容器（１１）との間に間隙を持たせて米と水の流路を確保するための固定用脚部（８）を備えまた中央部に米と水の吸い上げ口（７）及び軸受け（９）を備えることでその上部に設けた回転板（１）の回転により発生する遠心力を利用して固定板（２）の下側を通り吸い上げ口（７）より周囲の米と水（１２）を吸い上げ容器（１１）内に対流状の連続した流れを起こさせることで研ぎむらを無くする様にした米研ぎ器。
【発明の詳細な説明】
【技術分野】
【０００１】
本発明は炊飯を行う前の米研ぎ作業に用い二枚の板の片方の板を回転させ両板の間に備えた凹凸部で米と水に摩擦を与えて米研ぎを行い回転により発生する遠心力を利用し容器内に対流状の連続した流れを起こさせることで研ぎむらを無くした米研ぎ器に関する。
【背景技術】
【０００２】
従来の米研ぎ器としては一枚の回転羽根を回転させたり泡立て器状の物で容器内の米と水をかき回して洗米を行う米研ぎ器がある。
【０００３】
一枚の回転羽根だけを回転させたり泡立て器状の物でかき回すだけでは遠心力で周囲に散らばった米は中央に戻らず研ぎむらになりまた容器を傷つけることとなり炊飯器の内釜を直接使って米研ぎをする事は出来ない。
【０００４】
その周囲に散らばった米を中央に戻すには底がすり鉢状の容器を用いる事でも出来るが特別の容器が必要となる。
【発明の開示】
【発明が解決しようとする課題】
【０００５】
容器を傷つける事を無くし炊飯器の内釜を直接使用して洗米出来るようにしまた研ぎむらの無い米研ぎが出来るようにする。
【０００６】
容器内で用い二枚の板の片方だけを回転させて両板の間に設けた凹凸部で米と水に摩擦を与えて米研ぎを行う。
【０００７】
回転による遠心力を利用して容器内に対流状の連続した流れを起こさせ周囲の米と水を中央に戻す機能を持たせて研ぎむらの無い洗米が行える米研ぎ器とする。
【課題を解決するための手段】
【０００８】
回転軸に設けた固定用ハンドルで容器の底に押し当てて固定される固定板を設けその上部に回転軸に設けた回転用ハンドルにより回転する回転板を設け両板の間に備えた凹凸部で米と水に摩擦を与えて米研ぎを行う。
【０００９】
回転板の回転により発生する遠心力を利用して容器内の米と水に対流状の連続した流れを作りむらの無い米研ぎを行う。
【００１０】
回転軸に設けた固定用ハンドルは固定板の固定用脚部を容器の底に押し当てて固定しまた回転用ハンドルは回転板を回転させる。
【００１１】
下部に設けた固定板は固定用ハンドルで下面に備えた固定用脚部を容器の底に押し当てられて固定され容器との間に間隔を保ち周囲の米と水を吸い上げて中央に戻す流通路を確保する。
【００１２】
また固定板の中央部には回転板の回転による遠心力を利用して周囲の米と水を中央に戻し吸い上げる吸い上げ口を備えまた回転軸を空転させる軸受けを備える。
【００１３】
固定板の上部には回転板が設けられ回転軸に設けた回転用ハンドルにより回転し下面に米研ぎ及び羽根の機能を兼ねた凹凸を備える。
【００１４】
回転板の回転による遠心力を利用して周囲の米と水を吸い上げ口より吸い上げ容器の中に対流状の連続した流れを起こし周囲の米と水を中央に戻す機能をもたせむらの無い米研ぎをする。
【発明の効果】
【００１５】
回転板の回転による遠心力を利用して容器内に対流状の連続した流れを起こすことによりむらの無い米研ぎが出来る。
【発明を実施するための最良の形態】
【００１６】
回転板１の回転による遠心力では容器１１内に内側から外側に向かう流れを起こすことが出来る
【００１７】
回転板１の下に固定板２を設け容器１１との間に外側から内側に向かう帰路を確保すれば対流状の連続した流れとなり研ぎむらを無くする事が出来る。
【実施例１】
【００１８】
図を参照に本発明を詳細に説明する。
図１の様に下部に固定用脚部８及び中央部に吸い上げ口７及び軸受け９を備えた固定板２を配置し上部に回転軸１０と共に回転する回転板１が配置される。
【００１９】
下部に設けた固定板２の上面には米研ぎを行うための凹凸部６が設けられまた上部に設けた回転板１の下面にも米研ぎ及び羽根の機能を兼ねる凹凸部５が設けられる。
【００２０】
回転軸１０には固定用ハンドル４が設けられ固定板２の固定用脚部８が容器１１の底に押し当てられて固定されまた回転用ハンドル３により回転板１は回転する。
【００２１】
下部に設けた固定板２は固定用ハンドル４により固定用脚部８を容器１１の底に押し当てられて固定され容器１１との間に間隔が保たれ米と水１２の流通路を確保する。
【００２２】
上部に設けた回転板１は回転用ハンドル３により回転し両板の間に発生する遠心力により固定板２の下側を通り周囲の米と水１２を吸い上げ口７よりを吸い上げる。
【００２３】
吸い上げ口７より吸い上げられた米と水１２は両板の間に備えた凹凸部（５）、（６）により米の粒子は摩擦を受け米研ぎが行われ周囲に出ていく。
【００２４】
この動作は循環して行われ周囲の米と水１２を吸い上げ口７より吸い上げ対流状の連続した流れを起こし研ぎむらの無い米研ぎが出来る。
【００２５】
回転軸の回転にはモーターと減速機を用いる事も可能でありこの場合には固定用ハンドル及び回転用ハンドルは不要となる。
【図面の簡単な説明】
【００２６】
【図１】本発明の米研ぎ器の横断面図
【図２】回転板の下面の凹凸部の平面図
【図３】固定板の上面の凹凸部の平面図
【符号の説明】
【００２７】
１      回転板
２      固定板
３      回転用ハンドル
４      固定用ハンドル
５      回転板凹凸部
６      固定板凹凸部
７      吸い上げ口
８      固定用脚部
９      軸受け
１０      回転軸
１１      容器
１２      米と水（矢印は米と水の流れ方向を示す）
【図１】
2005278801.tif 000003
【図２】
2005278801.tif 000004
【図３】
2005278801.tif 000005
(57)【要約】【課題】  従来の誘導ウキ仕掛けのウキ止めは、道糸に糸あるいはゴム等を結び付けるなどして設置していた。設置や移動に際しては、道糸をたぐり寄せタナを実測した後、ウキ止めを設置したり移動させなければならず、面倒な作業であった。また、従来のウキ止めは使用中に竿やリールとの摩擦により破損したり移動することがあり、釣果に多大な影響が出ていた。【解決手段】  着色部を設けた釣糸の着色部を検知し得る一対の受光素子を設け、該検出信号から該釣糸着色部の釣針方向への繰り出し数を演算装置により求め、該釣糸着色部の繰り出し数が任意の設定数に達すると、繰り出し方向（釣針方向）への移動を制動し得る糸止め装置を作動させ、ウキ止めとして作用する。  【選択図】  【図１】
2005278494.tif 000002
【特許請求の範囲】
【請求項１】
着色部を設けた釣糸の着色部を検出し得る受光素子、該受光素子の検出信号から該釣糸着色部の移動方向及び移動数を演算し得る演算装置、該釣糸の移動を制動し得る糸止め装置及び該糸止め装置を制御し得る制御装置を備えたウキ止め。
【発明の詳細な説明】
【技術分野】
【０００１】
この発明は釣り用品に関するものである。
【背景技術】
【０００２】
従来の遊動ウキ仕掛けの概略図を図４に示す。道糸１０上に移動自在となるシモリ１３を備え、シモリ１３にウキ１２を連結し、道糸１０上のシモリ１３より釣竿８側の任意の位置にウキ止め１１を設置することにより、遊動ウキ仕掛けとなる。このウキ止め１１によりシモリ１３の釣竿８側への移動を制限し、ウキ１２から釣針１５までの距離すなわちタナを維持する。タナを変えるにはウキ止め１１の設置位置を移動させることによる。
【０００３】
従来のウキ止め１１は道糸１０に、糸あるいはゴム等を結び付けるなどして設置していた。該ウキ止め１１の設置や移動に際しては、道糸１０をたぐり寄せ、タナを実測しなければならず、面倒な作業であった。また、従来のウキ止め１１は使用中に釣竿８やリール９との摩擦により破損したり移動することがあり、釣果に多大な影響が出ていた。
【発明の開示】
【発明が解決しようとする課題】
【０００４】
この発明が解決しようとする課題は、使用中に釣竿やリールとの摩擦により容易に破損したり移動することがなく、かつ、タナの調整が容易なウキ止めの提供である。
【課題を解決するための手段】
【０００５】
本発明は下記の受光素子、演算装置、糸止め装置及び制御装置を備え、釣糸上を移動自在に設置することを特徴とする。本発明のブロック図を図３に示す。
【０００６】
着色部を設けた釣糸の着色部を検知し得る、該釣糸の長さ方向に沿って該釣糸着色部又は無着色部の長さより狭い間隔で設けられた一対の受光素子。
【０００７】
該一対の受光素子の検出信号から、該釣糸着色部の移動方向及び移動数を演算し得る演算装置。
【０００８】
該釣糸の繰り出し方向（釣針方向）への移動を制動し得る糸止め装置。
【０００９】
該釣糸着色部の繰り出し数が任意の設定数に達せば該糸止め装置を作動させ、設定数未満では非作動とさせ得る制御装置。
【００１０】
ウキは本発明によるウキ止めに連結又は内蔵しても良いし、該ウキ止めより釣針側の該釣糸上に設けた別のシモリに連結して使用しても良い。
【００１１】
以下、作用について説明する。あらかじめ、タナに対応する釣糸着色部の繰り出し数を制御装置に設定しておけば、仕掛け投入時、おもりの作用により釣糸は釣針方向すなわち水中へと繰り出され沈降してゆくが、釣糸着色部の繰り出し数があらかじめ設定した数に達した時、糸止め装置が作動し、それ以上の沈降は止まり、タナを維持する。仕掛け巻き上げ時は、前記糸止め装置は作動時であっても、釣糸の釣竿方向への移動は制動しないため、釣糸は釣竿方向へ引き上げ自在である。釣糸着色部の繰り出し数が設定数未満になると糸止め装置が非作動となるため、仕掛けの再投入が可能となる。
【発明の効果】
【００１２】
この発明によるウキ止めは釣糸上を移動自在であり、従来の技術のように半固定的に設置したウキ止めでないため、使用中に竿やリールとの摩擦により容易に破損したり移動することがない。
【００１３】
また、ウキ止め位置を調整するにはウキ止め装置に設けた糸止め装置の作動位置を設定するだけで良い。
【発明を実施するための最良の形態】
【００１４】
本発明の一実施形態を、図１及び図２に示す。本体１に釣糸７を通すための貫通した管状穴を設け、その内側面に１対の受光素子３ａ、３ｂ及び発光体４ａ、４ｂ並びに作動状態では釣針方向の移動を制動する糸止め装置５を設ける。受光素子３ａ、３ｂは発光体４ａ、４ｂを発し釣糸７を透過した光もしくは反射光を受光する。本体１には受光素子３ａ、３ｂの検出信号から、該釣糸着色部の移動方向及び移動数を演算し、該釣糸着色部の釣針方向への繰り出し数が任意の設定数に達せば糸止め装置５を作動させ、設定数未満では非作動とさせ得る、演算・制御装置６を設ける。また、浮体２を内蔵し、ウキとしての作用もある。釣糸７は受光素子３ａと３ｂの間隔以上の等長、任意の等間隔で着色されている。
【００１５】
以下に本実施形態での動作を説明する。仕掛けを投入すると、本実施形態によるウキ止めは本体１に内蔵された浮体２の作用により水面にとどまるが、釣糸７は釣針方向へ繰り出される。受光素子３ａ、３ｂは釣糸７に設けられた着色部の移動による受光量の変化を検知し、該検知信号から演算・制御装置６により該釣糸着色部の移動方向および移動数を演算する。演算により求められた該釣糸着色部の釣針方向への繰り出し数が、あらかじめ演算・制御装置６に設定した任意の数に達すると、糸止め装置５を作動させ、釣糸７の釣針方向への移動を制動することによりウキ止めとして作用し、タナを維持する。一方、仕掛け巻き上げ時、釣糸７は釣竿方向へ引き戻され、該釣糸着色部の釣針方向への繰り出し数が設定数未満になると糸止め装置５は非作動となるため、該ウキ止めは釣糸７上を移動自在となり、仕掛けの再投入が可能となる。
【００１６】
以上のように、本実施形態でのウキ止めはタナを維持しているとき以外は釣糸７上を自在に移動するため、釣竿やリールとの摩擦で破損することはない。また、タナの設定に際しては、演算・制御装置６にタナに対応する該釣糸着色部の繰り出し数を設定するだけでよく、本発明の効果は発揮される。
【図面の簡単な説明】
【００１７】
【図１】この発明の一実施形態を示す断面図である。
【図２】この発明の一実施形態を示す斜視図である。
【図３】この発明の特徴を示すブロック図である。
【図４】従来技術を示す概略図である。
【符号の説明】
【００１８】
１  ウキ止め本体      ２  浮体      ３ａ，３ｂ  受光素子
４ａ，４ｂ  発光体    ５  糸止め装置      ６  演算・制御装置
７  釣糸      ８  釣竿      ９  リール      １０  道糸
１１  ウキ止め      １２  ウキ      １３  シモリ
１４  おもり      １５  釣針    １６  演算装置    １７  制御装置
【図１】
2005278494.tif 000003
【図２】
2005278494.tif 000004
【図３】
2005278494.tif 000005
【図４】
2005278494.tif 000006
(57)【要約】      （修正有）【課題】デジカメ付きの携帯電話での接写機能はマクロで最大１０センチ位が接近限界になる。この限界を超えての撮影には普通カメラと同じように接写レンズの使用となる。この時問題は接写レンズの取付方法です。携帯電話のカメラレンズの光軸に合せて簡単、正確に取付のできる方法があれば日常的にも便利な小型カメラになる。【解決手段】一般市販の拡大ルーペレンズを携帯電話のカメラレンズ光軸に合せて取り付ける機構で一般撮影と同じようにマクロ撮影ができる。【効果】２０倍のルーペレンズ使用で約１センヂ四方のものが携帯電話のデジカメ撮影画面の全面に撮影される。１００メガ携帯撮影の画像では、２Ｌサイズにプリントしても鮮明な画像が確約される。【選択図】  図１
2005278134.tif 000002
【特許請求の範囲】
【請求項１】
図１の接写レンズ鏡胴Ｂを電話機Ａに結合するためＢにボデーへの取付ピンＨを設け、電話機本体Ａに作られたレンズ取付用ピン穴Ｃに挿入することで構成される携帯電話用の接写装置。
【請求項２】
電話機本体Ａの、レンズ取付用ピン穴Ｃに請求項１の構成時に連動する差込連動接点Ｙ、Ｚを設定する結合方式。
【請求項３】
図面３の図７，図８，図９で、レンズＢを取付けた部分Ｋをスライド式に携帯電話の本体Ｌに取付けて構成する接写装置。
【発明の詳細な説明】
【技術分野】
【０００１】携帯電話に組込まれたカメラを使用しての接写装置である。
【背景技術】
【０００２】現在の携帯電話に組み込まれたマクロ撮影機構によれば近接撮影時に被写体に最接近出来る距離は略１０センチ程度に限られる。
【発明の開示】
【発明が解決しようとする課題】
【０００３】携帯電話に組込まれたカメラの性能は想像以上のものであり、接写用アダプターの使用で顕微鏡的な分野を簡便に撮影できれば更なる使用範囲の拡大が期待できる
【問題を解決するための手段】
【０００４】デジカメ携帯電話で簡単に顕微鏡的な写真撮影が出来るようなアダプターレンズを選択して使用する。
【０００５】一般市販のルーペ使用で目標達成が確認され、撮影条件により５倍から２０倍程度のルーペレンズが使用できる。そのためレンズの取付けは簡単で安定性のある設定が求められる。
【０００６】請求項１の接写レンズの取付にはプラグイン方式の取り付け機構を採用する。具体的には、ラジオ用の真空管ソケットに類似したもので接写レンズの差し込み時に脚の位置を選ばず４本の脚は円周方向に関係無く差し込みができる。
【０００７】図１のレンズ取付用ピン穴Ｃ側に差込連動接点Ｚを設定することで電気回線の開閉等の機能の拡張性を計ることができる。
【０００８】接写レンズ周辺への照明装置を組込むようにすれば光を利用した特殊撮影にも対処できる。
【発明の効果】
【発明を実施するための最良の形態】
【実施例】
【実施例１】
【０００９】図３で、携帯電話のカメラレンズの周りに作られたレンズ取付け用のピン穴Ｃに図１の取付けピンＨをボデーに密着するよう差込む。
【実施例２】
【００１０】実施例１で携帯カメラの画面にはレンズの光軸を中心とした円形の撮影画面が見られる。４本の差込ピンは円周上で、どの位置に挿入しても常時光軸を中心にして結合される。
【実施例３】
【００１１】撮影時、被写体との焦点距離は、使用する接写レンズの光学特性により異なるものとなる。２０倍のレンズ使用の場合約１センヂ弱となる。
【実施例４】
【００１２】焦点合せはカメラを被写体に対して前後することで顕微鏡的な細部が目視でき、レンズの視界を妨げない口径で透光性の台座を使用すればより安定した撮影ができる。
【実施例５】
【００１３】請求項３による接写装置、図６、図７、図８によれば、請求項１による接写装置に較べて精度より簡便性を優先したものとなり汎用性に優れたものとなる。
【発明の効果】
【００１４】デジカメ付き携帯電話のカメラ機能を拡張することで本体のマクロ撮影では不可能な顕微鏡的な撮影を手軽な方法で映像化することができる。２０倍レンズを使用しての実写面積は約１センチ四方となる。
何よりもコストパホーマンスに優れ期待以上の成果が認められる。
【図面の簡単な説明】
【図１】接写レンズ装着時の側面透視図
【図２】接写レンズ装着時正面図
【図３】接写レンズ取付用ピン穴を示す正面図
【図４】接写レンズ鏡胴背面図
【図５】接写レンズ鏡胴正面図
【図６】請求項３の接写装置側面図
【図７】請求項３の接写装置下面図
【図８】請求項３の接写装置正面図
【符号の説明】
Ａ  電話機本体                Ｇ  照明発光体
Ｂ  接写レンズ鏡胴            Ｈ  ボデーへの取付ピン
Ｃ  接写レンズ取付用ピン穴    Ｋ  レンズ付スライドカバー
Ｄ  カメラレンズ              Ｓ  レンズ光軸
Ｅ  接写レンズ                Ｙ  差込連動接点
Ｆ  接写レンズ外枠            Ｚ  差込連動接点
【図１】
2005278134.tif 000003
【図２】
2005278134.tif 000004
【図３】
2005278134.tif 000005
【図４】
2005278134.tif 000006
【図５】
2005278134.tif 000007
【図６】
2005278134.tif 000008
【図７】
2005278134.tif 000009
【図８】
2005278134.tif 000010
(57)【要約】【課題】優秀変調用混合器が必要、他は余り無く解決可能。【解決の手段】日本電信電話株式会社会社の有線多重主回線では通信電線の改良は不必要。【選択図】特になし。【特許請求の範囲】
【請求項１】
有線系に適用する。
【発明の詳細な説明】
【技術分野】有線信号伝送
【背景技術】従来の有線信号伝送は多重回線伝送であったが、あまり簡便ではなかった。
【発明が解決しようとする課題】
多重信号伝送が優る。
【課題を解決するための手段】
両側帯波アナログ電流で信号を伝送する。
【発明の効果】
多重信号伝送が優る。
【発明を実施するための最良の形態】振幅変調両側帯波をアナログ電流信号に変換して伝送する。
【実施例】例えば、日本電信電話株式会社の従来の電話多重回線に適用する。
【産業上の利用可能性】優秀な変調用混合器が必要である。
他は難しくない。簡単である。
(57)【要約】【課題】  多芯ケーブルの芯線を固定し誤接続の防止及び作業時間を短縮できる多芯ケーブルの芯線固定治具を提供する。  【解決手段】  多芯ケーブル４の芯線を機器の回路と接続する際に一時固定し、機器に接続後に取外す配線固定具と、配線固定具を取付ける台座１とを備えた多芯ケーブルの芯線固定治具において、配線固定具をコイルスプリング３としたものである。【選択図】  図１  
2005278247.tif 000002
【特許請求の範囲】
【請求項１】
多芯ケーブルの芯線を機器の回路と接続する際に一時固定し、前記機器に接続後に取外す配線固定具と、前記配線固定具を取付ける台座とを備えた多芯ケーブルの芯線固定治具において、
前記配線固定具をコイルスプリングとしたことを特徴とする多芯ケーブルの芯線固定治具。
【発明の詳細な説明】
【技術分野】
【０００１】
本発明は、多芯ケーブルの芯線を容易一時的に固定及び取外しする多芯ケーブルの固定治具に関する。  
【背景技術】
【０００２】
従来、多芯ケーブルの中間接続としては、人の手により把持して行う方法と、固定治具を用いて行う方法がある。前者の人手による場合、先ず芯線番号を目視で確認し、つぎに手に持った状態で接続作業を行う。また、後者の場合、多芯ケーブルを機器の回路に接続する際に、台座上に設けた配線固定具に電線を固定して作業を行うものである（例えば、特許文献１参照）。この配線固定具は、複数の配線を配線固定具で挟持し、配線台に配線を挿通し機器の回路に接続するものである。
【特許文献１】実開平５ ― ６６９８号公報
【発明の開示】
【発明が解決しようとする課題】
【０００３】
ところが、従来の多芯ケーブルの接続は、手で持って接続し、その都度芯線番号の順番を目視確認していたので、事前確認及び事前準備に時間がかかったり、誤接続するという問題があった。また、切替工事のような場合は事前準備が必要となるので、作業時間が不足し時間がオーバーするというような問題もあった。
本発明はこのような問題点に鑑みてなされたものであり、多芯ケーブルの芯線を固定し誤接続の防止及び作業時間を短縮することができる多芯ケーブルの芯線固定治具を提供することを目的とする。
【課題を解決するための手段】
【０００４】
上記問題を解決するため、本発明は、次のように構成したものである。
請求項１に記載の発明は、多芯ケーブルの芯線を機器の回路と接続する際に一時固定し、前記機器に接続後に取外す配線固定具と、前記配線固定具を取付ける台座とを備えた多芯ケーブルの芯線固定治具において、
前記配線固定具をコイルスプリングとしたものである。
【発明の効果】
【０００５】
請求項１に記載の発明によれば、芯線の固定にコイルスプリングを用いているので、多芯ケーブルの芯線の固定や取外しが容易にでき準備や復旧作業が簡単となる。また、作業時間が短縮ができるので事前の準備及び事後の確認ができる。
【発明を実施するための最良の形態】
【０００６】
以下、本発明の実施の形態について図に基づいて説明する。
図１は、本発明の多芯ケーブルの芯線固定治具を示す図で、(a)は正面図、(b)は側面図である。
本発明が特許文献１と異なる部分は、作業途中の多芯ケーブルの芯線の固定及び取外しが容易に出来るようにコイルスプリングを備えた部分である。
図において、１は台座、２は固定ビス、３はコイルスプリング、４は多芯ケーブルである。
台座１は芯線を固定及び取外しするコイルスプリング３を配備し、上下の固定ビス２で台座１上に固定する。
つぎに動作について説明する。
まず、多芯ケーブルの芯線固定治具は図１(a)のように、縦長で長方形の板状の台座１上に芯線を固定するコイルスプリンプ３を長手方向に固定ビス２で上下を固定する。そして、機器の回路接続前に、多芯ケーブル４をコイルスプリング３の任意の場所に挟み込んで固定する。つぎに、機器の回路接続後、誤接続のないことを確認してから、全ての多芯ケーブル４をコイルスプリング３から取外す。
その構造は、芯線固定部がコイルスプリング３となっており何処にでも挟み込みができ、芯線の固定場所を任意の場所とすることができる。
このように、多芯ケーブル４の芯線固定場所が任意に選べる構造をしているので、使い勝手に応じた固定間隔にすることができる。
【図面の簡単な説明】
【０００７】
【図１】本発明の多芯ケーブルの芯線固定治具を示す図で、(a)は正面図、(b)は側面図
【符号の説明】
【０００８】
１ 台座
２ 固定ビス
３ コイルスプリング
４ 多芯ケーブル
【図１】
2005278247.tif 000003
(57)【要約】【課題】多角形もしくは円形の板に、複数の突起物を取り付け、それぞれの突起物に釣針付きのハリスを取り付け、また、板に道糸とつながる糸を取り付けた、複数のハリスに釣針を取り付けた釣り仕掛け及び多角形もしくは円形の板に、複数の突起物を取り付け、それぞれの突起物に、ゴム管を差し込み、また同時に釣針付きのハリスを、ゴム管に通し、突起物の付け根に釣針付きのハリスを取り付け固定し、また、板に道糸とつながる糸を取り付けた、複数のハリスに釣針を取り付けた釣り仕掛けにおいては、製造工程が複雑であり、製造工程をよりシンプルにする。【解決手段】道糸とつながる糸を使用せず、板にオモリを取り付けるか、板自体がオモリとなるようにする。【選択図】図１
2005278618.tif 000002
【特許請求の範囲】
【請求項１】
多角形もしくは円形の板に、複数の突起物を取り付け、それぞれの突起物に釣針付きのハリスを取り付け、また、板にオモリを取り付けた、複数のハリスに釣針を取り付けた釣り仕掛け。
【請求項２】
多角形もしくは円形の板に、複数の突起物を取り付け、それぞれの突起物に、ゴム管を差し込み、また同時に釣針付きのハリスを、ゴム管に通し、突起物の付け根に釣針付きのハリスを取り付け固定し、また、板にオモリを取り付けた、複数のハリスに釣針を取り付けた釣り仕掛け。
【請求項３】
多角形もしくは円形の板に、複数の突起物を取り付け、それぞれの突起物に釣針付きのハリスを取り付け、また、板自体がオモリとなるようにした、複数のハリスに釣針を取り付けた釣り仕掛け。
【請求項４】
多角形もしくは円形の板に、複数の突起物を取り付け、それぞれの突起物に、ゴム管を差し込み、また同時に釣針付きのハリスを、ゴム管に通し、突起物の付け根に釣針付きのハリスを取り付け固定し、また、板自体がオモリとなるようにした、複数のハリスに釣針を取り付けた釣り仕掛け。
【発明の詳細な説明】
【技術分野】
【０００１】この発明は、複数のハリスに釣針を取り付けた釣り仕掛けに関するものである。
【背景技術】
【０００２】多角形もしくは円形の板に、複数の突起物を取り付け、それぞれの突起物に釣針付きのハリスを取り付け、また、板に道糸とつながる糸を取り付けた、複数のハリスに釣針を取り付けた釣り仕掛け  及び  多角形もしくは円形の板に、複数の突起物を取り付け、それぞれの突起物に、ゴム管を差し込み、また同時に釣針付きのハリスを、ゴム管に通し、突起物の付け根に釣針付きのハリスを取り付け固定し、また、板に道糸とつながる糸を取り付けた、複数のハリスに釣針を取り付けた釣り仕掛けは、すでに出願済みである。
（出願番号  特願２００４−６４７７７）
【発明の開示】
【発明が解決しようとする課題】
【０００３】これらは、道糸とつながる糸を使用しており、製造するにあたり、道糸とつながる糸をたばねるという作業と、これらの発明品を、海底に落とす為のオモリと結び付けるという作業があり、製造工程が複雑であった。
本発明は、製造工程をよりシンプルにする為になされたものである。
【課題を解決するための手段】
【０００４】板にオモリを取り付けて、オモリと道糸をつなぐことにより、今までの発明に使用されていた、道糸とつながる糸を設ける必要が無い。
また、板自体がオモリとなるようにすれば、板と道糸をつなぐことにより、今までの発明に使用されていた、道糸とつながる糸を設ける必要が無い。
【発明の効果】
【０００５】従来の発明では、道糸とつながる糸を使用しており、製造するにあたり、道糸とつながる糸をたばねるという作業と、これらの発明品を、海底に落とす為のオモリと結び付けるという作業があり、製造工程が複雑であった。
本発明は、道糸とつながる糸を設ける必要が無い為、製造工程がシンプルである。
【発明を実施するための最良の形態】
【０００６】以下、本発明の実施の形態について説明する。
「図１」は、本発明の実施例を示す斜視図である。また「図１」は本発明の「請求項１」に相当する。
また、「図２」は、すでに出願済みの釣り仕掛けである。
（出願番号  特願  ２００４−６４７７７）
「図１」と「図２」の違いは何かというと、「図２」では、発明品を道糸（４）とつなぐ為に、道糸とつながる糸（５）を使用しており、また、発明品を、海底に落とす為のオモリ（７）と結びつけている。
「図２」の場合、製造するにあたり、道糸とつながる糸をたばねるという作業と、発明品を、海底に落とす為のオモリと結びつけるという作業があり、製造工程が複雑であった。
これに対し、「図１」は、板（１０）にオモリ（７）を取り付けてあり、板（１０）とオモリ（７）が一体となっている。また、オモリ（７）にフック（１）を取り付ければ、容易に道糸（４）とつながる構造となる。このように「図１」は、道糸とつながる糸を使用しないで、発明品が道糸と容易につながる構造となっている。「図２」の場合、製造するにあたり、道糸とつながる糸をたばねるという作業と、発明品を、海底に落とす為のオモリと結びつけるという作業があり、製造工程が複雑であったのに対し、「図１」の場合、道糸とつながる糸を使用しない為、製造工程がシンプルとなる。
「図３」も本発明の実施例を示す斜視図である。また「図３」は、本発明の「請求項２」に相当する。
また「図４」は、すでに出願済みの釣り仕掛けである。
（出願番号  特願  ２００４−６４７７７）
「図３」と「図４」の違いは何かというと、これは先に、「図１」と「図２」の違いを述べたが、これとまったく同じである。
この為、「図４」に比較し、「図３」の本発明の方が、製造工程がシンプルとなる。
「図５」も本発明の実施例を示す斜視図である。また「図５」は本発明の「請求項３」に相当する。
「請求項１」及び「請求項２」では、板にオモリを取り付けている。しかし、板が水中で沈みやすい物であれば、板自体がオモリとなるわけであり、板がオモリの代用となる。
「図５」において、板（１０）にフック（１）を取り付ければ、本発明は、容易に道糸（４）とつながる構造となる。
「図６」も本発明の実施例を示す斜視図である。また「図６」は本発明の「請求項４」に相当する。
「図６」も、板が水中で沈みやすい物であれば、板自体がオモリとなるわけであり、板がオモリの代用となる。
「図６」において、板（１０）にフック（１）を取り付ければ、本発明は、容易に道糸（４）とつながる構造となる。
【図面の簡単な説明】
【０００７】
【図１】  本発明の斜視図
【図２】  すでに出願済みの釣り仕掛け
【図３】  本発明の斜視図
【図４】  すでに出願済みの釣り仕掛け
【図５】  本発明の斜視図
【図６】  本発明の斜視図
【符号の説明】
【０００８】１    フック
２    ハリス
３    釣針
４    道糸
５    道糸とつながる糸
６    突起物
７    オモリ
８    サルカン
９    道糸とつながる糸をたばねた部分
１０  板
１１  道糸とつながる糸を固定する為の穴
１２  ハリスを固定する為の穴
１３  突起物用ゴム管
【図１】
2005278618.tif 000003
【図２】
2005278618.tif 000004
【図３】
2005278618.tif 000005
【図４】
2005278618.tif 000006
【図５】
2005278618.tif 000007
【図６】
2005278618.tif 000008
(57)【要約】【課題】本発明は、刃部の延長部が長い刃体と引掛け刃からできている側溝の内側の隅や塀際の土中に進入させて、利き手にかかわらず、右手又は左手で、塀の角の草も体位を変えずに使用することができるようにした草取に用いるのに適した草取鎌を提供するものである。【解決手段】刃体１を平板状の正面と背面が対称な狭いＬ字形に形成し、刃部２の上面に波刃３を形成し、刃部２の下面に変形凸凹波刃４を形成し、刃部２を先細な弓形５に曲げ、焼入れし、刃体１の一端を柄６に取り付けたことを特徴とする草取鎌とした。【選択図】図１
2005278620.tif 000002
【特許請求の範囲】
【請求項１】
平板状の正面と背面が対称な狭いＬ字形に形成した刃体と、刃体の上部に先細な弓形の刃部を形成し、刃部の上面に波刃を形成し、刃部の下面に変形凹凸波刃を形成し、刃体の一端を柄に取り付けたことを特徴とする草取鎌。
【発明の詳細な説明】
【技術分野】
【０００１】  本発明は、草取に用いられる草取鎌に関する。
【背景技術】
【０００２】  従来から、草取鎌があった。この草取鎌は、草を取るものである。
【発明の開示】
【発明が解決しようとする課題】
【０００３】  草取鎌は、草を取るために刃部の延長部が短い刃体に切刃が形成されている。本発明は、刃部の延長部が長い刃体と引掛け刃からできている側溝の内側の隅や塀際の土中に進入させて、右手又は左手で握って使用する草取に用いるのに適した草取鎌を提供することを目的としたものである。
【課題を解決するための手段】
【０００４】  前述した目的を達成するために、本発明は、平板状の正面と背面が対称な狭いＬ字形の刃体と刃部に波刃を形成したことを特徴としたものである。平板状の正面と背面が対称な狭いＬ字形に形成した刃体と刃体の上部に先細な弓形に形成した刃部は、側溝の内側の隅や塀際の土中に進入させる。刃部の上面に形成した波刃と下面に形成した変形凹凸波刃は、草の茎や根を引掛ける。正面と背面が対称な刃体は、右手又は左手での使用に対応する。平板状の正面と背面が対称な狭いＬ字形の刃体を形成し、刃体の上部に先細な弓形の刃部を形成し、刃部の上面に波刃を形成し、刃部の下面に変形凹凸波刃を形成し、刃体の一端を柄に取り付けることによって達成することができる。
【発明の効果】
【０００５】  以上に説明したように、本発明は、利き手にかかわらず、右手又は左手で、上面にも刃が形成されているので、塀の角の草も体位を変えずに使用することができるようにしたものである。
【発明を実施するための最良の形態】
【０００６】  以下、本発明の実施例の形態を図示例と共に説明する。
図１は、刃体１を平板状の正面と背面が対称な狭いＬ字形に形成し、刃部２の上面に波刃３を形成し、刃部２の下面に変形凹凸波刃４を形成し、刃部２を先細な弓形５に曲げ、焼入れし、刃体１の一端を柄６に取り付けた草取鎌を表したものである。
刃体１の一端に取り付けた柄６は、握ることができる。刃体１の一端を柄６に取り付けた草取鎌は、右手又は左手で柄６を握って使用することができる。
平板状の正面と背面が対称な狭いＬ字形に形成した刃体１と刃体１の上部に先細な弓形５に形成した刃部２は、側溝の内側の隅や塀際の土中に進入させることができる。
刃部１の上面に形成した波刃３は、草の茎や根を引掛けることができる。刃部２の下面に形成した変形凹凸波刃４は、草の茎や根を引掛けることができる。正面と背面が対称な刃体１は、右手又は左手での使用に対応する。
図２は、刃部２の上面に形成した波刃３と刃部２の下面に形成した変形凹凸波刃４を表したものである。
具体的には、草取に使用する手作業具として、草取鎌が用いられている。
草取鎌は、右手又は左手で柄６を握り、地上の草は、刃部２の上面に形成した波刃３で引掛ける。刃部２の下面に形成した変形凹凸波刃４で引掛けて取除く。短い草は、土に対して斜めに傾けて刃部２の先端を土の中に進入させ、刃部２の下面に形成した変形凹凸波刃４で引掛けて取除く。長い草は、刃体１の刃部２を土に対して垂直近くに傾けて刃部２の先端から土中に進入させ、刃部２の下面に形成した変形凹凸波刃４で引掛けて取除く。
【図面の簡単な説明】
【０００７】
【図１】本発明の実施例である草取鎌の斜視図である。
【図２】本発明の実施例である草取鎌の刃部の拡大図である。
【符合の説明】
【０００８】    １  刃体
２  刃部
３  波刃
４  変形凹凸波刃
５  弓形
６  柄
【図１】
2005278620.tif 000003
【図２】
2005278620.tif 000004
(57)【要約】【課題】浮きの上端に道糸を通すためのスイベルジョイントを、下端に浮きの倒れにくさを調節するための調整錘を取り付けるスイベルジョイントを設けな釣り用転倒浮きを提供する。【解決手段】下部あるいは内部に錘を設けた浮き本体と、その上端に取り付けた上部スイベルジョイントと、その下端に取り付けた下部スイベルジョイントよりなり、上部スイベルジョイントには、釣ばりの付いたハリスに連結された道糸を通し、下部スイベルジョイントには、浮きの倒れにくさを調節するための調整錘を取り付け、下部に重心を有して自立し、上部が水面より上に出るような浮力を有し、魚が釣ばりに付けな餌に食いついて引っ張ると、道糸を介して上部スイベルジョイントが引っ張られて浮きが転倒し、釣り人に知らせることを特徴とする釣り用転倒浮き。【選択図】図１
2005278612.tif 000002
【特許請求の範囲】
【請求項１】
下部あるいは内部に錘を設けた浮き本体と、その上端に取り付けた上部スイベルジョイントと、その下端に取り付けた下部スイベルジョイントよりなり、上部スイベルジョイントには、釣ばりの付いたハリスに連結された道糸を通し、下部スイベルジョイントには、浮きの倒れ難さを調節するための調整錘を取り付ける釣り用転倒浮きであって、下部に重心を有して自立し、上部が水面より上に出るような浮力を有し、魚が釣ばりに付けた餌に食いついて引っ張ると、道糸を介して上部スイベルジョイントが引っ張られて浮きが転倒し、釣り人に知らせることを特徴とする釣り用転倒浮き。
【発明の詳細な説明】
【技術分野】
【０００１】  この発明は、魚釣りの仕掛けに使用する釣り用転倒浮きに関するものである。
【背景技術】
【０００２】  従来、釣りに使用する浮きとしては、軸心を貫通した穴がある中通しや下端にリングを設けたものなどがあるが、魚が釣ばりに付けた餌に食いついて引っ張ると、浮きが水中に引き込まれて釣り人に知らせる仕掛けになっていた。
【発明の開示】
【発明が解決しようとする課題】
【０００３】  これらは、つぎのような問題点がある。
（イ）浮きが水中に引き込まれる時の抵抗を小さくするために、浮きの体積を極力小さ        くする必要が生じ、そのために見ずらくなり、浮きの動きを目で追うのが大変で        ある。
（ロ）（イ）の理由で、浮きの体積が小さいと必然的に使用する錘も軽くなるため、仕        掛けを目的のポイントに投入するのが難しい。
（ハ）水の透明度が良いと、浮きが水中に引き込まれるのがわかり難い。
本発明は、これらの問題点を解決するためになされたものである。
【課題を解決するための手段】
【０００４】  この発明が提供する釣り用転倒浮きは、下部あるいは内部に錘を設けた浮き本体と、その上端に取り付けた上部スイベルジョイントと、その下端に取り付けた下部スイベルジョイントよりなり、上部スイベルジョイントには、釣ばりの付いたハリスに連結された道糸を通し、下部スイベルジョイントには、浮きの倒れにくさを調節するための調整錘を取り付ける釣り用転倒浮きであって、下部に重心を有して自立し、上部が水面より上に出るような浮力を有し、魚が釣ばりに付けた餌に食いついて引っ張ると、道糸を介して上部スイベルジョイントが引っ張られて浮きが転倒し、釣り人に知らせることを特徴とするものである。
【発明の効果】
【０００５】  （イ）浮きの体積が大きくても、重心と浮きの上端迄の寸法を大きくとれば、小さな力        で浮きを倒すことが出来るので、動きを目で追うのが楽な適度な大きさの浮きが        作れる。
（ロ）（イ）の理由で、浮きの体積が大きいと必然的に質量も大きく出来るため、仕掛        けを目的のポイントに投入するのが容易な適度の質量の浮きが作れる。
（ハ）魚が道糸を引くと、浮きが転倒して知らせてくれるのでわかり易い。
（ニ）調整錘の質量により浮きの倒れ難さが変えられるので、風や波などの釣り場の環        境条件に合わせたセッティングが容易に出来る。
【発明を実施するための最良の形態】
【０００６】  以下、本発明の実施の形態を説明する。
図１において、１は浮き本体、２は錘、３は上部スイベルジョイント、４は下部スイベルジョイントである。浮き本体１は、錘２と合体して下部に重心を有して自立し、上部が水面より上に出るような浮力を有しており、魚の引く力で浮きが倒れるように、質量と重心と浮力の作用点とで決まる倒れ難さが適切に設計されている。
本発明は、以上の構成よりなっている。
本発明の釣り用転倒浮きに仕掛けを装着した使用例を図２に示す。
５は浮きの倒れ難さを調節する調整錘、６は道糸、７は浮き止め、８はシモリ、９はヨリモドシ、１０はハリス、１１は釣ばりである。上部スイベルジョイント３に道糸６を通し、ヨリモドシ９を介してハリス１０と釣ばり１１が取り付けられている。釣ばり１１は自重で沈むが、道糸６に結ばれた浮き止め７で決められた深さに位置決めされている。この仕掛けにて、魚が釣ばり１１に付けた餌に食い付いて道糸６を引っ張ると、上部スイベルジョイント３に伝わって浮き本体１が倒され釣り人に知らせる。調整錘５は、重くすると浮きが倒れ難くなるので、釣り場の状況にあわせて容易に対応出来る。
【図面の簡単な説明】
【０００７】
【図１】本発明の正面図
【図２】本発明の使用例を示す正面図
【符号の説明】
【０００８】      １  浮き本体
２  錘
３  上部スイベルジョイント
４  下部スイベルジョイント
５  調整錘
６  道糸
７  浮き止め
８  シモリ
９  ヨリモドシ
１０  ハリス
１１  釣ばり
Ｓ  水面
【図１】
2005278612.tif 000003
【図２】
2005278612.tif 000004
(57)【要約】【課題】従来よりオモリの作用とつり天秤等にかんして、釣り天秤等にオモリを固定する際に直接固定していたが、それではオモリの重さで、魚が針に食いついた状況が妨害される為に小さな魚等、引きの弱い時や波の高い時等はわからなかった為である【解決手段】海底の砂、小石、貝殻等を撹乱し、魚を集魚せしめる構造の笠かぶりオモリに、任意の長さを有する遊び糸を設けることにより、道糸に変化を伝えやすくし、釣竿への伝達感度を良くし、釣果が倍加することが出来る。【選択図】      図１
2005278615.tif 000002
【特許請求の範囲】
【請求項１】
釣り用オモリとして、鉄、鉛、真鍮、瀬戸物、ガラス等で水圧をかけ海底を叩き砂、小石、貝殻かけら等を攪乱し、魚を集魚せしめる構造が、空洞体で表面積を有する笠状オモリに一ヶ所ないし複数の穴を中央上部に設けることにより、海中での気泡を魚が追いかける習性を活用し、オモリの重さで小さい魚、曳きの弱い魚等が、かかった時や波の高い時等は曳きが判りづらかった為に、任意の長さを有する遊び糸を通して、自在に動く弛みを作り、両端にビーズと係止具を備え下方部の係止具に、従来のオモリを笠状の内側に用途に合わせ、軽い物から重いものまで、係止具に交換取り付けし、釣り天秤に固定使用する特長を持った釣り曳き感度を高める事を有する笠かぶりオモリ。
【請求項２】
空洞体で表面積を有する笠状オモリに一ヶ所ないし複数の穴を中央上部に設け、笠状オモリの下に、撒き餌する為の多数の穴を備えた、サラ状の物を設け、爪、板スプリング、ピン等で笠オモリに一時的に固定し、水圧で撒き餌の脱落、拡散を防止する為のオモリの受け皿とし、オモリの重さで小さい魚、曳きの弱い魚等がかかった時や波の高い時等は曳きが判りづらかった為に、任意の長さを有する遊び糸を通し、自在に動く弛みを作り、両端にビーズと係止具を備え、笠状オモリの内側にイサダ、海老等のコマセを入れて、釣り天秤に固定使用する特長を持った釣り曳き感度を高める事を有する笠かぶりオモリ。
【請求項３】
２個の円盤、楕円盤、扇形等のオモリを笠状オモリの下に蝶の羽の様に、羽ばたく用に双方の、両端のいずれかに線伏、板状、コイルスプリング等で加工固定し、釣竿を上下し、水圧をかけ、海底を叩き、砂、小石、貝殻かけら等を攪乱し、魚を集魚せしめる構造で、オモリの重さで、小さい魚、曳きの弱い魚がかかった時や波の高い時等は曳きが判りづらかつたので、オモリを海底に静止させる為の、任意の長さを有する遊び糸で、弛みを作り、両端にビーズと係止具を備え、釣り天秤に固定使用する特長を持つと共に、下のオモリのみの単独使用も可能な釣り曳き感度を高める事を有する笠かぶりオモリ。
【発明の詳細な説明】
【技術分野】
【０００１】本発明は、釣りに於ける釣り曳き感度を高める事を有する笠かぶりオモリに関する。
【背景技術】
【０００２】従来のしゃくり釣り用オモリがあるが、水圧をかけることは出来るが、海底に接地する部分が少なく砂、小石、貝殻片等が舞い上がりし難いものである（例えば特許文献１参照。）。また、海底に接地、すなわち、スプリングで叩く面積が少なくクッションになる為、効率が悪いし、水圧をかけることが、乏しいものである（例えば特許文献２参照。）。
【特許文献１】  実用公開  昭５３−１０７５９１号  公報
【特許文献２】  特開      平６−３０２８８５号  公報
【０００３】    尚
【特許文献】  Ｈ１６  ２／２３  ＡＯＩＫ  ９５／００  実用公開８１９件、特開２８７件  調査済
【発明の開示】
【発明が解決しようとする課題】
【０００４】以上に述べた従来のオモリの作用と釣り天秤等にオモリを固定する際に直接固定していたが、それでは、オモリの重さで妨害される為に、小さな魚等、引きの弱い時や波の高い時等は判りにくかった。【０００５】本発明は、このような従来の構成か有してていた問題を解決しようとするものであり、曳きの弱いときでも、波の高い時も、釣り曳き感度が倍加し、釣り成果を上げる目的とするものである。
【課題を解決するための手段】
【０００６】そして、本発明は上記目的を達成する為に釣竿を上げ下げ、笠状オモリで水圧をかけ、下のオモリで海底を叩き砂、小石、貝殻片等を撹乱させ天秤の中間に、任意の長さを有する遊び糸等を設けることにより、釣り曳き感度のアップと釣果が倍加するものである。
【発明の効果】
【０００７】上述したように本発明の釣り曳き感度を向上させることの出来る、笠かぶりオモリは魚を集魚させると共に道糸を通して、釣竿への魚の曳き状況が確実に把握することが可能な為、釣りの釣果を倍加させるものである。
【発明の実施するための最良の形態】
【０００８】以下、本発明の実施形態を図１〜図４に基づいて説明する。
【０００９】図においては、１、５は海底の砂等を撹乱させ魚を集中せしめる笠かぶりオモリ１，５で、任意の長さを有する遊び糸等２の両端にビーズ３と係止具４を備えて下方部係止具４を従来のオモリ５に取付け固定し、上方部係止具４を天秤６に固定する。
【００１０】本発明の本体で海底の砂等を２，３回撹乱させ魚を集魚せしめ、笠かぶりオモリ１，５を海底に静止させ、遊び糸等２が弛む位に天秤６も海底に静止固定する。
【００１１】その後天秤６のみをゆっくり上げ下げさせ、海水の流れにそって餌を泳がせる行動を繰返すことにより、オモリに関係なく道糸を通して、釣竿への感度の手応えが伝わってくると言う効果を発揮する。以上のように本実施形態により釣果が倍加されるものである。
【図面の簡単な説明】
【００１２】
【図１】本発明の本体正面図
【図２】本発明の実施形態を示す正面図
【図３】本発明の本体正面図
【図４】本発明の実施形態を示す正面図
【符号の説明】
【００１３】      １、笠かぶりオモリ
２、任意の長さの遊び糸
３、ビーズ
４、係止具
５、従来のオモリ
６、天秤
７、糸通し穴
８、穴の開いたサラ状体
９、サラ状体脱落防止板状スプリング
１０、棒状スプリング
１１、楕円盤オモリ
【図１】
2005278615.tif 000003
【図２】
2005278615.tif 000004
【図３】
2005278615.tif 000005
【図４】
2005278615.tif 000006
(57)【要約】【課題】一般家庭で米と米麹から作られる本格的甘酒を簡単に作れる甘酒製造キット【解決手段】乾燥米（アルファ米等）および米麹、乳酸菌等を混合充填し、必要に応じて長期保存できるように乾燥剤、および脱酸素剤等を同封した小型定形容器およびその保温器。【選択図】    なし【特許請求の範囲】
【請求項１】
麹菌の糖化作用を遅滞なく促進できるようにベータ澱粉をアルファ澱粉に変化させた乾燥米（アルファ米）、米麹、乳酸菌等からなる原料を小型定形容器に混合充填あるいは個別に充填し、必要に応じて乾燥剤、脱酸素剤等を入れ長期保存に耐えうるものとしたｋ簡易甘酒製造キットおよびその保温器
【発明の詳細な説明】
【技術分野】
【０００１】本発明は一般家庭で簡便な製法にて有用微生物とアミノ酸の豊富な本格的甘酒を製造できるキット製品に関するものである。
【背景技術】
【０００２】従来、一般家庭においては、酒粕と砂糖にて作った代用甘酒を飲用したり、製品となった甘酒飲料を購入する以外、本格的な甘酒を飲用するには、時間も手間もかかるものであった。なぜなら、麹による米澱粉糖化作用は米澱粉を加熱にてベータ澱粉からアルファ澱粉に変換する作業をしなければ遅滞なく進行する糖化現象がおきないため、蒸米を使用し、かつまた、麹菌を植え付け蒸米である米麹と混合して微生物による糖化作用を温度管理して待たなければならなかったからである。そのため、現在では本格的甘酒を頻回に飲用する機会はない。しかしながら、甘酒は数々の有用微生物と豊富なアミノ酸の健康飲料であるため、江戸時代には夏季に夏ばて用の滋養飲料として大いに飲用されていた。さらに、現在、プロバイオティクスの研究の進歩から豊富な有用微生物との共存で人間の健康（免疫力）は維持されていることがわかってきた。過去においても甘酒飲料に対して様々な開発がなされている。例えば、特開平０６−１４１８２９、特開平０６−３４３４３５、特開平０５−２７９４８５、特開平０８−２５２０８１などがあるがいずれも甘酒を製品として一般家庭に提供する製品開発か保温器についての開発であった。一般家庭において簡便に本格的甘酒の製造が統合的にできる開発はなかった。しかしながら、本発明により簡便に有用微生物とアミノ酸の豊富な本格的甘酒が提供できることで、今後、この製品の普及により日本国民の健康に寄与できると考えられる。
【発明の開示】
【発明が解決しようとする課題】
【０００３】従来、一般家庭では本格的甘酒を作るために多大な労力と時間と材料を要していたが、本発明はこれらの問題点を解決し、本格的甘酒を簡便に少量製造できるよう開発されたものである。
【課題を解決するための手段】
【０００４】前記目的を達成するため、本発明は麹菌の糖化作用を遅滞なく促進させるアルファ澱粉として利用できる乾燥米（アルファ米）と米麹、また雑菌の繁殖を抑制するため乳酸菌等を小型定形容器に混入し、必要に応じて長期保存に耐えうるように乾燥剤、脱酸素剤等といっしょに密封した。一般家庭では同容器の蓋を開け、乾燥剤、脱酸素剤を取り出し、水（電子レンジ等で所定の温度に温めるかそのままでも可）あるいはお湯をいれ、保温器にて２４時間保温すると翌日には麹菌のアルファ澱粉糖化作用により米粒が残った有用微生物とアミノ酸が豊富な本格的な甘酒が簡便に製造できる。
【発明の効果】
【０００５】前述のように構成される本発明は、乾燥米（アルファ米等）、米麹、乳酸菌等からなる原料の充填された小型定形容器の甘酒製造キットである。また、必要に応じて長期保存に耐えられるように乾燥剤、脱酸素剤等を同封する場合もある。この甘酒製造キットにより一般家庭で毎日、少量づつ簡単に本格的甘酒が製造できる。古来より甘酒は有用微生物とアミノ酸の豊富な植物性ヨーグルトとして夏季の夏ばて防止として愛飲されていたこともあり、この製品の普及により家庭でも簡単に甘酒が製造できるようになり日本国民の健康増進にも大いに寄与するものと思われる。
【発明を実施するための最良の形態】
【０００６】以下に本発明の実施例を説明する。一口サイズで飲みきれるように、従来から使用されている、ワンカップ大関（商標登録）のような一合サイズのガラス容器に、乾燥米（アルファ米等）米麹、乳酸菌等を適量混入し、長期保存に耐えられるよう乾燥剤、脱酸素剤を入れ上蓋を固定し、封入する。上記の容器（図１）であれば多数の酒造工場で従来の製造ラインを大幅に変更することなく同発明品の生産ができる長所がある。また、透明ラミネートパック（図２）に充填することも可能であり、この場合は軽量のため、輸送コストの低減がはかれる。しかし、本発明は、以上述べた実施例に限定されるものではない。
【図面の簡単な説明】
【０００７】
【図１】一合ガラス容器に乾燥米、米麹、乳酸菌等を混入した図
【図２】ラミネート容器に乾燥米、米麹、乳酸菌等を混入し図
【図３】一合ガラス容器に乾燥米、米麹、乳酸器等を小包装にて分包した図
【図４】保温容器にて湯を入れた一合ガラス容器を保温する図
【図５】保温カバーにて湯を入れた一合ガラス容器を保温する図
【符号の説明】
【０００８】［符号の説明］
１．容器蓋
２．定形容器
３．乾燥米、米麹、乳酸菌等混合原料
４．ラミネート容器
５．脱酸素剤
６．乾燥剤
７．乾燥米単包
８．米麹単包
９．乳酸菌単包
１０．湯
１１．保温容器
１２．保温カバー
【図１】
2005278619.tif 000002
【図２】
2005278619.tif 000003
【図３】
2005278619.tif 000004
【図４】
2005278619.tif 000005
【図５】
2005278619.tif 000006